【手続補正書】
【提出日】平成25年2月7日(2013.2.7)
【手続補正１】
【補正対象書類名】明細書
【補正対象項目名】００２１
【補正方法】変更
【補正の内容】
【００２１】
以上の課題を解決するために本発明は、第１の所定周期のフレームを複数のスロットで区切ったＴＤＭＡ方式で通信を行う無線通信装置であって、複数のフレームそれぞれを複数のスロットで区切った信号を受信する受信部と、前記信号の前記複数のフレームの複数のスロット毎の受信電界レベルを測定し、前記受信部が受信した信号が、複数のフレームのうち隣接する２つのフレームにおける同一番号のスロットにおいて、前記２つのフレームのうちの第１のフレームの前記スロットの受信電界レベルが第１の閾値を越え、且つ前記２つのフレームのうちの第２のフレームの前記スロットの受信電界レベルが第１の閾値を越えない場合は、前記受信した信号が前記無線通信装置と異なる周期のフレームを複数のスロットで区切ったＴＤＭＡ方式で通信を行う他の無線通信装置からの制御信号であると判断し、更に前記他の無線通信装置の制御信号に干渉を与えないような動作モードに切り替える制御部と、を備えたこと特徴としたものである。これにより、自営ＰＨＳの保護を行えるという作用を有する。
【手続補正２】
【補正対象書類名】明細書
【補正対象項目名】００２２
【補正方法】変更
【補正の内容】
【００２２】
また、あるスロットで第１の閾値を超え、隣接するフレームの同じスロットでの測定結果が第１の閾値を超えない場合は、前記隣接するフレームの中の何れかスロットで当該第１の閾値を超えたスロットにおける電界強度値との差が第３の閾値を超えた場合に第２の通信規格の制御信号が在ると判定する干渉種別判別手段を備えたものである。これにより、受信電界強度が比較的小さい場合でも、自営ＰＨＳの信号であるか否かの判定をより確実に行えるという作用を有する。
【手続補正３】
【補正対象書類名】明細書
【補正対象項目名】００２３
【補正方法】変更
【補正の内容】
【００２３】
また、所定の閾値以上の受信電界強度が現れた信号の周波数と、当該信号が受信された
タイムスロットに対応するスロット番号とを監視し、それを少なくとも３００ｍｓ以上の期間で監視するようにしたことにより、自営ＰＨＳの保護を行えるという作用を有する。
【手続補正４】
【補正対象書類名】明細書
【補正対象項目名】００２４
【補正方法】変更
【補正の内容】
【００２４】
また、所定の閾値以上の受信電界強度が現れた信号の周波数と、当該信号が受信されたタイムスロットに対応するスロット番号とを監視し、少なくとも３００ｍｓ以上の期間で監視する中で検出された各スロットの受信電界強度の標準偏差と最大値から、自営ＰＨＳの制御チャネルによる干渉があると判別することを特徴としたものである。これにより、自営ＰＨＳの保護を行えるという作用を有する。
【手続補正５】
【補正対象書類名】明細書
【補正対象項目名】００２５
【補正方法】変更
【補正の内容】
【００２５】
また、所定の閾値以上の受信電界強度が現れた信号の周波数と、当該信号が受信されたタイムスロットに対応するスロット番号とを監視し、少なくとも３００ｍｓ以上の期間で監視する中で検出された各スロットの受信電界強度の平均値、最小値および最大値から、自営ＰＨＳの制御チャネルによる干渉があると判別することを特徴としたものである。これにより、自営ＰＨＳの保護を行えるという作用を有する。
【手続補正６】
【補正対象書類名】明細書
【補正対象項目名】００２６
【補正方法】変更
【補正の内容】
【００２６】
また、所定の閾値以上の受信電界強度が現れた信号の周波数と、当該信号が受信されたタイムスロットに対応するスロット番号とを監視し、少なくとも３００ｍｓ以上の期間で監視する中でほぼ同じ受信電界強度の信号が１２５ｍｓ以上の周期で現れるか、若しくは、少なくとも１回現れた場合は、更に監視時間を３００ｍｓの延長し、自営ＰＨＳの制御チャネルによる干渉があると判別精度を上げることを特徴としたものである。これにより、より確実に自営ＰＨＳの保護を行えるという作用を有する。
【手続補正７】
【補正対象書類名】特許請求の範囲
【補正対象項目名】全文
【補正方法】変更
【補正の内容】
【特許請求の範囲】
【請求項１】
第１の所定周期のフレームを複数のスロットで区切ったＴＤＭＡ方式で通信を行う無線通信装置であって、
複数のフレームそれぞれを複数のスロットで区切った信号を受信する受信部と、
前記複数のスロット毎の受信電界レベルを測定し、前記受信部が受信した信号が、複数のフレームのうち隣接する２つのフレームにおける同一番号のスロットにおいて、前記２つのフレームのうちの第１のフレームの前記スロットの受信電界レベルが第１の閾値を越え、且つ前記２つのフレームのうちの第２のフレームの前記スロットの受信電界レベルが第
１の閾値を越えない場合は、前記受信した信号が前記無線通信装置と異なる周期のフレームを複数のスロットで区切ったＴＤＭＡ方式で通信を行う他の無線通信装置からの制御信号であると判断し、更に前記他の無線通信装置の制御信号に干渉を与えないような動作モードに切り替える制御部と、
を備えることを特徴とする無線通信装置。
【請求項２】
前記制御部は、
前記受信部が受信した信号が、前記複数のフレームのうち隣接する２つのフレームにおける同一番号のスロットにおいて、第１のフレームの前記スロットの受信電界レベルと、第２のフレームの前記スロットの受信電界レベルと、が第１の閾値を越え、かつ第１のフレームの前記スロットの受信電界レベルと、第２のフレームの前記スロットの受信電界レベルと、の差が第２の閾値を越えない場合は、前記受信した信号が前記他の無線通信装置からの制御信号でないと判断することを特徴とする請求項１に記載の無線通信装置。
【請求項３】
前記制御部は、
前記受信部が受信した信号が、前記複数のフレームのうち隣接する２つのフレームにおける同一番号のスロットにおいて、第１のフレームの前記スロットの受信電界レベルと、第２のフレームの前記スロットの受信電界レベルと、が第１の閾値を越え、かつ第１のフレームの前記スロットの受信電界レベルと、第２のフレームの前記スロットの受信電界レベルと、の差が第２の閾値を越える場合は、前記受信した信号が前記他の無線通信装置からの制御信号であると判断し、更に第２の通信規格の制御信号に干渉を与えないような動作モードに切り替える制御部と、
を備えることを特徴とする請求項１または２のいずれかに記載の無線通信装置。
【請求項４】
前記制御部は、
前記受信部が受信した信号が、複数のフレームのうち隣接する２つのフレームにおける同一番号のスロットにおいて、前記２つのフレームのうちの第１のフレームの前記スロットの受信電界レベルが第１の閾値を越え、且つ前記２つのフレームのうちの第２のフレームの前記スロットの受信電界レベルが第１の閾値を越えない場合、更に、第１のフレームの前記スロットの受信電界レベルと第１のフレームの前記スロットの受信電界レベルとの差が第３の閾値を越える場合にのみ前記受信した信号が前記他の無線通信装置からの制御信号であると判断し、更に第２の通信規格の制御信号に干渉を与えないような動作モードに切り替えることを特徴とする請求項１〜３のいずれかに記載の無線通信装置。
【請求項５】
第３の閾値は、第２の閾値より小さいことを特徴とする請求項４記載の無線通信装置。
【請求項６】
前記無線通信装置は、前記第１の所定周期のフレームが１０ｍｓｅｃであり、
前記他の無線通信装置は、前記第２の所定周期のフレームが１２５ｍｓｅｃ以上３００ｍｓｅｃ以下の任意の期間であり、
前記制御部は、前記受信部が受信した信号を、２０ｍｓｅｃ以上１２５ｍｓｅｃ以内の期間において前記複数のフレームの前記複数のスロット毎の受信電界レベルを測定することを特徴とする請求項１〜５のいずれかに記載の無線通信装置。
【請求項７】
前記制御部は、
前記受信部が受信した信号に前記第１の閾値以上の受信電界強度をもつスロットが現れた場合、
当該信号の周波数と当該スロットのスロット番号とを監視し、
少なくとも３００ｍｓｅｃの期間内の前記信号の各スロットの受信電界レベルの最大値と最小値の差分から、自営ＰＨＳの制御チャネルによる干渉があると判別することを特徴とする請求項１〜６のいずれかに記載の無線通信装置。
【請求項８】
前記制御部は、
前記受信部が受信した信号に前記第１の閾値以上の受信電界強度をもつスロットが現れた場合、
当該信号の周波数と当該スロットのスロット番号とを監視し、
少なくとも３００ｍｓｅｃ以上の期間で監視する中で検出された各スロットの受信電界強度の標準偏差と最大値から、自営ＰＨＳの制御チャネルによる干渉があると判別することを特徴とする請求項１〜７のいずれかに記載の無線通信装置。
【請求項９】
前記制御部は、
前記受信部が受信した信号に前記第１の閾値以上の受信電界強度をもつスロットが現れた場合、
当該信号の周波数と当該スロットのスロット番号とを監視し、
少なくとも３００ｍｓｅｃ以上の期間で監視する中で検出された各スロットの受信電界強度の平均値、最小値および最大値から、自営ＰＨＳの制御チャネルによる干渉があると判別することを特徴とする請求項１〜８のいずれかに記載の無線通信装置。
【請求項１０】
第１の所定周期のフレームを複数のスロットで区切ったＴＤＭＡ方式で通信を行う無線通信装置が受信する信号が、第１の所定周期とは異なる第２の周期のフレームを複数のスロットで区切ったＴＤＭＡ方式で通信する他の無線通信装置からの制御信号であるかを判定する干渉検知方法であって、
前記無線通信装置は、受信した信号の複数のフレームにおける各スロットの受信電界レベルを測定し、
前記複数のフレームのうち隣接する２つのフレームにおける同一番号のスロットにおいて、前記２つのフレームのうちの第１のフレームの前記スロットの受信電界レベルが第１の閾値を越え、且つ前記２つのフレームのうちの第２のフレームの前記スロットの受信電界レベルが第１の閾値を越えない場合は、前記受信した信号が前記他の無線通信装置からの制御信号であると判断することを特徴とする干渉検知方法。
【請求項１１】
前記無線通信装置は、受信した信号の複数のフレームにおける各スロットの受信電界レベルを測定し、
前記複数のフレームのうち隣接する２つのフレームにおける同一番号のスロットにおいて、第１のフレームの前記スロットの受信電界レベルと、第２のフレームの前記スロットの受信電界レベルと、が第１の閾値を越え、かつ第１のフレームの前記スロットの受信電界レベルと、第２のフレームの前記スロットの受信電界レベルと、の差が第２の閾値を越えない場合は、前記受信した信号が前記他の無線通信装置からの制御信号でないと判断することを特徴とする請求項１０に記載の干渉検知方法。
【請求項１２】
前記無線通信装置は、受信した信号の複数のフレームにおける各スロットの受信電界レベルを測定し、
前記複数のフレームのうち隣接する２つのフレームにおける同一番号のスロットにおいて、第１のフレームの前記スロットの受信電界レベルと、第２のフレームの前記スロットの受信電界レベルと、が第１の閾値を越え、かつ第１のフレームの前記スロットの受信電界レベルと、第２のフレームの前記スロットの受信電界レベルと、の差が第２の閾値を越える場合は、前記受信した信号が前記他の無線通信装置からの制御信号であると判断することを特徴とする請求項１０に記載の干渉検知方法。